(57)【要約】  本発明は、右眼用映像の偏光状態を調節する第１の領域及び左眼用映像の偏光状態を調節する第２の領域でパターン化された３Ｄフィルター層と、ＲＧＢパターンが形成されたカラーフィルター層と、を含み、上記カラーフィルターのＲＧＢパターンと上記３Ｄフィルター層のパターンが互いに対応するように形成される複合機能性立体映像表示装置用の光学フィルター及びこれを含む立体映像表示装置を提供する。【選択図】図１
2013541029.tif 000002
【特許請求の範囲】
【請求項１】
右眼用映像の偏光状態を調節する第１の領域及び左眼用映像の偏光状態を調節する第２の領域でパターン化された３Ｄフィルター層と、
ＲＧＢパターンが形成されたカラーフィルター層と、
を含み、
前記カラーフィルターのＲＧＢパターンと前記３Ｄフィルター層のパターンが互いに対応するように形成される、複合機能性立体映像表示装置用の光学フィルター。
【請求項２】
前記光学フィルターは立体映像表示装置の表示パネルの外側に付着される、請求項１に記載の複合機能性立体映像表示装置用の光学フィルター。
【請求項３】
前記３Ｄフィルター層と前記カラーフィルター層の間に粘着層がさらに含まれる、 請求項１または２に記載の複合機能性立体映像表示装置用の光学フィルター。
【請求項４】
前記光学フィルターの最上層に粘着層がさらに含まれる、 請求項１から3の何れか１項に記載の複合機能性立体映像表示装置用の光学フィルター。
【請求項５】
前記カラーフィルター層は印刷方式で形成される、 請求項１から4の何れか１項に記載の複合機能性立体映像表示装置用の光学フィルター。
【請求項６】
前記カラーフィルター層はインクジェットプリンティング法又はグラビア印刷法により形成される、請求項５に記載の複合機能性立体映像表示装置用の光学フィルター。
【請求項７】
前記カラーフィルター層はフォトリソグラフィー法により形成される、 請求項１から4の何れか１項に記載の複合機能性立体映像表示装置用の光学フィルター。
【請求項８】
請求項１から７のいずれか一項に記載の複合機能性立体映像表示装置用の光学フィルターを含む、立体映像表示装置。
【請求項９】
一面に透明電極が形成されている上部基板、前記上部基板と離隔して配置され、一面に透明電極が形成されている下部基板、前記上部基板と前記下部基板の間に介在される液晶セルを含む映像生成部と、
前記上部基板の外側に配置され、右眼用映像の偏光状態を調節する第１の領域及び左眼用映像の偏光状態を調節する第２の領域でパターン化された３Ｄフィルター層及びＲＧＢパターンが形成されたカラーフィルター層を含む光学フィルターと、
を含む、立体映像表示装置。
【発明の詳細な説明】
【技術分野】
【０００１】
本発明は、立体映像表示装置用の光学フィルター及びこれを含む立体映像表示装置に関し、より詳細には、カラーフィルター機能と３Ｄフィルター機能を一つのフィルターで行うことができる複合機能性立体映像表示装置用の光学フィルター及びこれを含む立体映像表示装置に関する。
【背景技術】
【０００２】
立体映像表示装置は、既存の２次元平面映像とは異なり、人間が見て感じる実際の映像と類似した３次元映像を提供することにより、視覚情報の質的水準を数次元向上させる新たな概念の映像表示装置である。通常、人間が３次元の立体感を感じる原因は、右目と左目が視差をおいて事物を認知するためであると知られている。即ち、人間の両目は約６５ｍｍの間隔をおいて離れているため、互いに少し異なる方向の映像を受け、この際に発生した両眼視差によって立体感を認識するようになる。したがって、観察者の両目に視差のある映像を入力させる方法により立体映像を具現することができる。
【０００３】
従来の立体映像表示装置は、偏光メガネを用いる方式と、偏光メガネを用いない方法に大別することができる。この中で、偏光メガネ方式の立体映像表示装置は、互いに異なる偏光特性を有する左眼用映像と右眼用映像を排出し、偏光メガネに偏光板等を付着して左眼レンズには左眼用映像のみが透視されるようにし、右眼用レンズには右眼用映像のみが透視されるようにすることにより、立体感を感じさせる方式である。このような偏光メガネ方式は、メガネをかけなければならないという短所があるが、相対的に視野角の制約が少なく、製作が容易であるという長所がある。
【０００４】
従来の偏光メガネ方式の立体映像表示装置は、一般的に、左眼用映像を生成する左眼用映像部と右眼用映像を生成する右眼用映像部を含む映像生成部と、上記映像表示部で生成された左眼用映像光と右眼用映像光の偏光状態を変化させるフィルター部を含んでなる。
【０００５】
この際、上記映像生成部は、ＬＣＤパネルやＰＤＰパネルのような表示パネルからなり、例えば、上記映像表示部は、トランジスタと画素電極が形成されたＴＦＴ‐アレイ基板、透明電極及びカラーフィルター層が形成されたカラーフィルター基板、及び上記ＴＦＴ‐アレイ基板とカラーフィルター基板の間に位置し、水平方向又は垂直方向に２次元的に配置された液晶セルなどからなることができる。
【０００６】
また、上記フィルター部は、左眼用映像表示部と右眼用映像表示部に対応するようにパターニングされた偏光フィルム、又は左眼用映像表示部と右眼用映像表示部にそれぞれ対応するようにパターニングされた位相差板が付着された偏光板などからなり、通常、カラーフィルター基板の外部に付着される。
【０００７】
しかしながら、このような従来の立体映像表示装置の場合、光学フィルターと映像表示部のカラーフィルター層の間に厚いガラス基板が存在するため、映像表示部から出た右眼用映像光と左眼用映像光がそれぞれ反対側の目に混入するクロストークが発生して鮮明な３次元映像を具現するのが困難になるという問題があった。
【０００８】
また、立体映像装置では、映像表示部の画素と光学フィルターのパターンの位置を正確に一致させることが重要である。これは、映像表示部の画素と光学フィルターのパターンが一致しない場合、右眼用映像光と左眼用映像光の分離がうまく行われず、３次元映像がうまく具現されないためである。しかしながら、従来の立体映像表示装置には、映像表示部の画素と光学フィルターのパターンを正確に一致させる作業が容易ではないという問題があった。
【発明の概要】
【発明が解決しようとする課題】
【０００９】
本発明は、上記のような問題を解決するためのものであり、クロストーク発生が少なく、画素と光学フィルターのパターン状の不一致による画質低下問題がない立体映像表示装置用の光学フィルター及びこれを含む立体映像表示装置を提供することを目的とする。
【課題を解決するための手段】
【００１０】
本発明は、右眼用映像の偏光状態を調節する第１の領域及び左眼用映像の偏光状態を調節する第２の領域でパターン化された３Ｄフィルター層と、ＲＧＢパターンが形成されたカラーフィルター層と、を含み、上記カラーフィルターのＲＧＢパターンと上記３Ｄフィルター層のパターンが互いに対応するように形成される複合機能性立体映像表示装置用の光学フィルターを提供する。
【００１１】
上記光学フィルターは立体映像表示装置の表示パネルの外側に付着されることができる。
【００１２】
上記光学フィルターは上記３Ｄフィルター層と上記カラーフィルター層以外にも粘着層をさらに含み、上記粘着層は上記３Ｄフィルター層と上記カラーフィルター層の間又は光学フィルターの最上層に配置されることができる。
【００１３】
上記カラーフィルター層は印刷方式やフォトリソグラフィー法により形成され、上記印刷方式としてはインクジェットプリンティング法又はグラビア印刷法などを用いることができる。
【００１４】
他の面において、本発明は、上記光学フィルターを含む立体映像表示装置を提供する。
【００１５】
本発明の立体映像表示装置は、例えば、一面に透明電極が形成されている上部基板、上記上部基板と離隔して配置され、一面に透明電極が形成されている下部基板、及び上記上部基板と上記下部基板の間に介在される液晶セルを含む映像生成部と、上記上部基板の外側に配置され、右眼用映像の偏光状態を調節する第１の領域及び左眼用映像の偏光状態を調節する第２の領域でパターン化された３Ｄフィルター層及びＲＧＢパターンが形成されたカラーフィルター層を含む光学フィルターと、を含むことができる。
【発明の効果】
【００１６】
本発明の光学フィルターは、カラーフィルターと３Ｄフィルター機能を一つのフィルターで行うことができるため、本発明の光学フィルターを用いる場合、映像生成部の基板にカラーフィルターを形成しなくても良い。
【００１７】
また、本発明の光学フィルターの場合、カラーフィルターと３Ｄフィルターを一体に形成するため、画素と３Ｄフィルター間の距離が短くてクロストークを効果的に低減することができる。
【００１８】
また、本発明は、３Ｄフィルターのパターン上にカラーフィルターのＲＧＢパターンを直に形成するため、ＲＧＢパターンと３Ｄフィルターパターンを正確に対応するように形成することができ、その結果、高画質の３Ｄ映像を具現することができる。
【００１９】
また、本発明の光学フィルターは、映像生成部（表示パネル）の基板の外側に配置されることにより、映像生成部の基板に着脱可能に構成することができるため、カラーフィルター層や３Ｄフィルター層に損傷が発生した時に容易に交替することができるという長所がある。
【図面の簡単な説明】
【００２０】
【図１】本発明の光学フィルターの多様な実施例を示すための図である。
【図２】本発明の光学フィルターの多様な実施例を示すための図である。
【図３】本発明の光学フィルターの多様な実施例を示すための図である。
【図４】本発明の光学フィルターの多様な実施例を示すための図である。
【図５】本発明の光学フィルターの多様な実施例を示すための図である。
【図６】本発明の立体映像表示装置の一実施例を示すための図である。
【図７】本発明の比較例及び実施例１〜５のクロストーク率を示すグラフである。
【発明を実施するための形態】
【００２１】
以下、図面を参照して本発明をより具体的に説明する。但し、下記の図面は、本発明の理解がより容易になるように説明するためのものであり、本発明の一例に過ぎず、本発明は下記の図面の範囲に限定されるものではない。なお、図面上の比率、長さなどは、容易な説明のために誇張又は縮小されて表現される可能性がある。
【００２２】
図１から図５には本発明の複合機能性立体映像表示装置用の光学フィルターの多様な実施例が示されている。
【００２３】
図１から図５に示されたように、本発明の光学フィルターは、（１）３Ｄフィルター層１００と、（２）カラーフィルター層２００と、を含む。
【００２４】
上記３Ｄフィルター層１００は、右眼用映像光と左眼用映像光の偏光状態を異ならせて立体映像を具現するためのものであり、右眼用映像光の偏光状態を調節する第１の領域１１０と、左眼用映像光の偏光状態を調節する第２の領域１２０と、からなる。例えば、上記３Ｄフィルター層１００は、上記第１の領域と上記第２の領域が互いに異なる位相差値を有するようにパターニングされた位相差フィルムなどからなることができる。この際、上記３Ｄフィルター層のパターンは、特に制限されず、ストライプ状、碁盤状に形成されることができる。
【００２５】
上記３Ｄフィルター層は、例えば、基材フィルムにパターン化された液晶配向膜を形成し、その上に液晶をコーティングした後、紫外線などで硬化させて液晶の配向を固定して偏光状態を調節する方法で製造されることができる。この際、上記液晶配向膜のパターン化は、多様な方式で行われ、例えば、互いに異なる液晶配向膜を第１の領域と第２の領域に該当する部分に交互に形成する方法、基材フィルムの全面積に配向膜を形成した後、上記配向膜上に第２の領域に該当する部分のみを重ねて配向膜を形成する方法、又は基材フィルムの全面に配向膜を形成した後、フォトマスクを用いて第１の領域と第２の領域に互いに異なる方向の偏光を照射する方法などで行われることができる。上記のような方法で形成されたパターン化された配向膜上に液晶を配向させて配向方向が互いに異なる第１の領域と第２の領域を具現する。
【００２６】
次に、上記カラーフィルター層２００は、カラー映像を具現するためのものであり、ＲＧＢパターンからなる。この際、上記カラーフィルター層２００のＲＧＢパターンは、上記３Ｄフィルター層のパターンと対応する位置に形成される。
【００２７】
上記カラーフィルター層２００は、例えば、カラー感光材を用いたフォトリソグラフィー法や印刷法などにより製造されることができる。印刷法を用いる場合は、インクジェットプリンティング法やグラビア印刷等の方法を用いることができる。
【００２８】
一方、本発明において、上記３Ｄフィルター層１００と上記カラーフィルター層２００は基材フィルム３００上に積層形成され、この際の積層順序はいずれでも良い。即ち、図１のように、基材フィルム３００上にカラーフィルター層２００を先に形成し、その上に３Ｄフィルター層１００を形成しても良く、図２のように、基材フィルム３００上に３Ｄフィルター層１００、カラーフィルター層２００の順で形成しても良い。
【００２９】
また、本発明の光学フィルターは、上記のように一つの基材フィルム上に３Ｄフィルター層１００とカラーフィルター層２００を順次積層する方法以外に、図５に示されたように、基材フィルム３００上に３Ｄフィルター層１００を形成し、他の基材フィルム５００上にカラーフィルター層２００を形成した後、両フィルムを粘着層４００を用いて貼り合わせる方法で製造されることもできる。
【００３０】
上記基材フィルム３００、５００は、特に限定されず、光透過性に優れた素材のフィルムであればいずれのものでも良い。例えば、上記基材フィルム３００、５００としては、トリクロロアセテートフィルム、ポリエチレンテレフタレートフィルム、シクロオレフィンコポリマーフィルム、ポリエチレンナフタレートフィルム、セルロースアセテートフィルム、セルロースブチラートフィルム、セルロースプロピオネートフィルム、エチルセルロースフィルム、アクリルフィルム、ポリビニルアルコールフィルム、ポリエチレンフィルムなどを用いることができる。
【００３１】
一方、上記光学フィルターは、上記３Ｄフィルター層１００と上記カラーフィルター層２００以外にも粘着層４００をさらに含むことができる。上記粘着層４００は、図３に示されたように光学フィルターの最上層に配置されることもでき、図４に示されたように３Ｄフィルター層とカラーフィルター層の間に配置されることもできる。
【００３２】
上記粘着層４００が光学フィルターの最上層に形成される場合、上記粘着層４００は、光学フィルターをディスプレイ装置に付着するようにするためのものである。上記粘着層４００には、アクリル系粘着剤、ラバー（Ｒｕｂｂｅｒ）系粘着剤、シリコン系粘着剤などを用いることができ、この中でも、光透過性に優れたアクリル系粘着剤が特に好ましい。また、この場合、異物等の付着を防止するために、上記粘着層上に離型フィルム７００がさらに付着されることができる。上記離型フィルムは、ディスプレイ装置に付着される時に除去して付着すれば良い。このように、粘着層を形成する場合、光学フィルターを表示装置の表面に着脱することができるため、カラーフィルター層や３Ｄフィルター層に損傷が発生した時に容易に交替することができるという長所がある。
【００３３】
また、上記カラーフィルター層がインクジェットプリンティング法により形成される場合、カラーフィルター層を形成する前に粘着層を形成した後、粘着層上にカラーフィルターパターンを印刷すると、上記粘着層がインク収容層の役割を行うため、インクの着色力を向上させることができるという長所がある。
【００３４】
一方、上記粘着層の厚さは５ミクロン（μｍ）〜３０ミクロン（μｍ）程度であることが好ましい。粘着層の厚さが５ミクロン未満の場合は精密なコーティングが困難となり、３０ミクロンを超える場合は粘着剤の使用量が多くなるため、好ましくない。
【００３５】
上記のような本発明の光学フィルターを用いる場合、カラーフィルター層のＲＧＢ画素と３Ｄフィルター間の距離が短いため、クロストーク発生率が格段に低くなる。また、本発明の光学フィルターの場合、カラーフィルターと３Ｄフィルターを一体に形成するため、ＲＧＢパターンと３Ｄフィルターパターンを正確に対応するように形成することができ、その結果、高画質の３Ｄ映像を具現することができる。
【００３６】
一方、本発明の光学フィルターは、映像表示装置の表示パネルの外側に付着されることが好ましい。ここで、表示パネルは、立体映像を生成する役割をし、立体映像を生成する表示パネルの外側に光学フィルターを配置させる場合、ガラス材質のパネルが製作された後に光学フィルターを外部に付着する工程を経ることから、現在のＬＣＤパネル製作工程に用いられる２００℃以上の高熱工程又はＰＤＰ製作工程に用いられる５００℃以上の高熱工程を経なくても良いため、２００℃以上の耐熱性が求められるフィルムを用いることなく、通常のトリクロロアセテートフィルム、ポリエチレンテレフタレートフィルム、シクロオレフィンコポリマーフィルム、ポリエチレンナフタレートフィルム、セルロースアセテートフィルム、セルロースブチラートフィルム、セルロースプロピオネートフィルム、エチルセルロースフィルム、アクリルフィルム、ポリビニルアルコールフィルム、ポリエチレンフィルム等を用いることができる。これらのフィルムは、透明度や着色度、費用の面で、高耐熱性ポリイミドフィルムよりも非常に有利であるという長所がある。また、３Ｄフィルター層に用いる液晶配向層やカラーフィルター層に用いる着色層にも耐熱性の低い材料を用いることができる。また、本発明の光学フィルターは立体表示装置の基板に着脱可能に構成することもできるため、カラーフィルター層や３Ｄフィルター層に不良が発生したか損傷が発生した時に容易に再作業又は交替することができるという効果があり、製造工程に非常に有利である。
【００３７】
他の面において、本発明は、上記光学フィルターを含む立体映像表示装置を提供する。より詳細には、本発明の立体映像表示装置は、（１）映像光を生成する映像生成部と、（２）光学フィルターと、を含んでなる。
【００３８】
この際、上記光学フィルターは、上述した内容と同様であり、上記映像生成部は、左眼用映像光と右眼用映像光を生成するためのものであり、ＬＣＤパネルやＰＤＰパネルなどのように一般的に用いられるディスプレイパネルであることができる。但し、本発明の場合、光学フィルターにカラーフィルターが備えられているため、ディスプレイパネルの基板にカラーフィルターを形成する必要がない。
【００３９】
図６には本発明の立体映像表示装置の一例が示されている。
【００４０】
本発明の立体映像表示装置は、図６に示されたように、上部基板６１０と下部基板６２０、上記上部基板６１０と下部基板６２０の間に介在される液晶セル６５０からなる映像生成部６００と、上記映像生成部の上部基板６１０の外側に配置される光学フィルター１０と、を含む。
【００４１】
この際、上記上部基板６１０と下部基板６２０は、光透明性に優れた材質からなり、例えば、ガラスやプラスチック基板などからなることができる。また、上記上部基板と下部基板の対向する面には、液晶セルに電源を印加するための透明電極６３０、６４０が形成される。
【００４２】
上記液晶セル６５０は、偏光された光の透過率を調節して画素のオン‐オフ（ｏｎ‐ｏｆｆ）状態とグレー（ｇｒｅｙ）状態を表現するようにする役割をするものであり、一般的な液晶表示素子と同じ構造のものが用いられることができる。
【００４３】
一方、上記光学フィルター１０は、上部基板６１０の外側に配置され、右眼用映像の偏光状態を調節する第１の領域１１０及び左眼用映像の偏光状態を調節する第２の領域１２０でパターン化された３Ｄフィルター層１００と、ＲＧＢパターンが形成されたカラーフィルター層２００と、を含んでなる。光学フィルター１０の詳細は上述した内容と同様であるため、具体的な説明は省略する。
【実施例】
【００４４】
以下、本発明の好ましい実施例を挙げて本発明をより具体的に説明する。
【００４５】
実施例１
トリクロロアセテートフィルムに第１の配向膜を全面的に塗布した後、＋４５°偏光ＵＶを照射して第１の配向膜を硬化させ、上記第１の配向膜上に再び並んだ線形に第２の配向膜を塗布し、−４５°偏光ＵＶを照射して第２の配向膜を硬化させた。その後、その上に液晶をコーティングした後に硬化させて、並んだ線形に形成された３Ｄフィルター層を形成した。
【００４６】
上記３Ｄフィルター層上にアクリル系粘着剤を２０μｍの厚さで均一に塗布して粘着層を形成した。
【００４７】
上記粘着層上に、インクジェット方式により、３Ｄフィルター層の線に直交整列されるようにカラーインクを塗布し乾燥させてカラーフィルター層を形成して光学フィルターを製造した。上記光学フィルターに離型フィルムを付着して異物付着を防止した。
【００４８】
上記光学フィルターから離型フィルムを除去した後、液晶ディスプレイ素子に付着して立体映像表示装置を製造した。
【００４９】
実施例２
実施例１と同じ方法により、トリクロロアセテートフィルムに並んだ線形に形成された３Ｄフィルター層を形成した後、グラビア印刷機を用いて、３Ｄフィルター層の線に直交整列されるようにカラーインクを塗布し乾燥させてカラーフィルター層を形成した。
【００５０】
上記カラーフィルター層上にアクリル系粘着剤を２０μｍの厚さで均一に塗布して粘着層を形成し、その上に離型フィルムを付着して光学フィルターを製造した。
【００５１】
上記光学フィルターから離型フィルムを除去した後、液晶ディスプレイ素子に付着して立体映像表示装置を製造した。
【００５２】
実施例３
カラーフィルター層の形成時にフォトリソグラフィー法を用いた点を除いては、実施例２と同じ方法で立体映像表示装置を製造した。
【００５３】
実施例４
実施例１と同じ方法により、トリクロロアセテートフィルムに並んだ線形に形成された３Ｄフィルター層を形成した。
【００５４】
ポリエチレンテレフタレートフィルム上にアクリル系粘着剤を２０μｍの厚さで均一に塗布して粘着層を形成し、上記粘着層上にインクジェット方式で３Ｄフィルター層の線に直交整列されるようにカラーインクを塗布し乾燥させてカラーフィルター層を形成した。
【００５５】
上記３Ｄフィルター層が形成されたトリクロロアセテートフィルムとカラーフィルター層が形成されたポリエチレンテレフタレートフィルムを貼り合わせた後、ポリエチレンテレフタレートフィルムの外側に粘着剤をコーティングし、離型フィルムを付着して光学フィルターを製造した。
【００５６】
上記光学フィルターから離型フィルムを除去した後、液晶ディスプレイ素子に付着して立体映像表示装置を製造した。
【００５７】
実施例５
カラーフィルター層をシクロオレフィンコポリマーフィルム上に形成した点を除いては、実施例４の方法と同じ方法で立体映像表示装置を製造した。
【００５８】
比較例
上部基板と透明電極の間にカラーフィルターが形成されている市販のＬＣＤパネルの外部にカラーフィルターが一体化されていない３Ｄフィルター単品を装着して立体映像表示装置を製造した。
【００５９】
実施例１〜５の立体映像表示装置と比較例の立体映像表示装置でのクロストーク率を測定した。測定条件は下記の通りである。
【００６０】
＜測定条件＞
画素ピッチ０．５４ｍｍ、
ガラスの厚さ０．６３ｍｍ、
複合機能性フィルターの厚さ０．２ｍｍ、
観察距離１５００ｍｍ
【００６１】
一方、クロストーク率ＸＴ（θ）は、下記の式（１）のように定義される。
【００６２】
一方、上記の式（１）において、ＸＴＬ（θ）及びＸＴＲ（θ）はそれぞれ下記の式（２）及び式（３）のように定義される。
【００６３】
上記式（２）及び（３）において、ＢＬは、右眼用映像光及び左眼用映像光を具現するピクセルがすべてブラックモードの場合に左眼用映像光を偏光メガネの左眼レンズ部により視野角θで観察したときの輝度、ＬＬは、右眼用映像光を具現するピクセルがブラックモード、左眼用映像光を具現するピクセルがホワイトモードの場合に左眼用映像光を偏光メガネの左眼レンズ部により視野角θで観察したときの輝度、ＲＬは、右眼用映像光を具現するピクセルがホワイトモード、左眼用映像光を具現するピクセルがブラックモードの場合に左眼用映像光を偏光メガネの左眼レンズ部により視野角θで観察したときの輝度、ＢＲは、右眼用映像光及び左眼用映像光を具現するピクセルがすべてブラックモードの場合に右眼用映像光を偏光メガネの右眼レンズ部により視野角θで観察したときの輝度、ＬＲは、右眼用映像光を具現するピクセルがブラックモード、左眼用映像光を具現するピクセルがホワイトモードの場合に右眼用映像光を偏光メガネの右眼レンズ部により視野角θで観察したときの輝度、ＲＲは、右眼用映像光を具現するピクセルがホワイトモード、左眼用映像光を具現するピクセルがブラックモードの場合に右眼用映像光を偏光メガネの右眼レンズ部により視野角θで観察したときの輝度である。
【００６４】
測定されたクロストーク率を示すグラフを図７に示した。実施例１〜５の測定値は測定誤差内で同一水準を示し、図７から、比較例に対比して顕著に低いクロストーク率を示すことが分かる。
【符号の説明】
【００６５】
１００  ３Ｄフィルター層
１１０  第１の領域
１２０  第２の領域
２００  カラーフィルター層
３００、５００  基材フィルム
４００  粘着層
６１０  上部基板
６２０  下部基板
６３０、６４０  透明電極
６５０  液晶セル
７００  離型フィルム
【図１】
2013541029.tif 000003
【図２】
2013541029.tif 000004
【図３】
2013541029.tif 000005
【図４】
2013541029.tif 000006
【図５】
2013541029.tif 000007
【図６】
2013541029.tif 000008
【図７】
2013541029.tif 000009
【国際調査報告】
2013541029.tif 000010
2013541029.tif 000011
2013541029.tif 000012
2013541029.tif 000013